(57)【要約】クロスカントリ用、アルペン用およびノルディックウォーキング用ストックのための杖取っ手（１０）は、手革または手袋のような手保持装置（１１）を備え、この手保持装置はそれに固定された第１の連結要素（６４）を介して、杖取っ手（１０）に解除できるように係止可能であり、第１の連結要素（６４）と協働する第２の連結要素（４６）が杖取っ手凹部（２６）内に設けられ、この第２の連結要素が取っ手頭部の範囲内から操作可能な操作装置（４１）によって、弾性支承部に抗して移動可能である。手保持装置の取り外し可能な固定を簡単にかつ人間工学的に実施できるようにするために、第１の連結要素（６４）を挿入および引き抜き可能な杖取っ手凹部（２６）への出入り口が縦方向スロット（３１）によって形成され、この縦方向スロットが手保持装置（１１）寄りの、杖取っ手凹部（２６）を画成する第１の壁（２１）内で、杖取っ手縦軸線（１７）に対して平行にまたは斜めに延び、縦方向スロット（３１）が第２の連結要素（４６）の移動範囲の上方から下方までの範囲に延設されている。
2006508750.tif 000002
【特許請求の範囲】
【請求項１】
手革または手袋のような手保持装置（１１）を備え、この手保持装置がそれに固定された第１の連結要素（６４）を介して、杖取っ手（１０）に解除できるように係止可能であり、第１の連結要素（６４）と協働する第２の連結要素（４６）が杖取っ手凹部（２６）内に設けられ、この第２の連結要素が取っ手頭部の範囲内で操作可能な操作装置（４１）によって、弾性支承部に抗して移動可能である、特にクロスカントリ用ストック、アルペン用ストックまたはノルディックウォーキング用ストックのための杖取っ手（１０）であって、第１の連結要素（６４）を挿入および引き抜き可能な杖取っ手凹部（２６）への出入り口が縦方向スロット（３１）によって形成され、この縦方向スロットが手保持装置（１１）寄りの、杖取っ手凹部（２６）を画成する第１の壁（２１）内で、杖取っ手縦軸線（１７）に対して平行にまたは斜めに延び、縦方向スロット（３１）が第２の連結要素（４６）の移動範囲の上方から下方までの範囲に延設されていることを特徴とする杖取っ手。
【請求項２】
縦方向スロット（３１）への出入り口が取っ手頭端面（２２）の範囲内に設けられていることを特徴とする、請求項１記載の杖取っ手。
【請求項３】
第１の連結要素（６４）が、縦方向スロット（３１）内での軸方向の案内と半径方向の保持のために、きのこ状またはその他のアンダーカットされた形をしていることを特徴とする、請求項１または２記載の杖取っ手。
【請求項４】
第１の壁（２１）の両側に接続する壁（３６，３７）が第１の連結要素（６４）のための案内溝（３８，３９）を備えていることを特徴とする、請求項３記載の杖取っ手。
【請求項５】
杖取っ手凹部（２６）内に挿入する際の、第１の連結要素（６４）のためのストッパーが、縦方向スロット（３１）の端部（３４）によって形成されていることを特徴とする、請求項１〜４の少なくとも一つに記載の杖取っ手。
【請求項６】
杖取っ手（１０）の好ましくは傾斜した取っ手頭端面（２２）が細長い開口部（２７）を有し、操作部材（４１）がこの開口部から突出していることを特徴とする、請求項１〜５の少なくとも一つに記載の杖取っ手。
【請求項７】
操作部材が杖取っ手凹部（２６）内に揺動可能に支承されたレバー（４１）によって形成されていることを特徴とする、請求項１〜６の少なくとも一つに記載の杖取っ手。
【請求項８】
双腕状レバー（４１）として形成された操作部材と、第２の連結要素（４６）とが一体に形成されていることを特徴とする、請求項１〜７の少なくとも一つに記載の杖取っ手。
【請求項９】
操作レバー（４１）が揺動軸（４２）に枢着され、この揺動軸が双腕状レバー（４１）の操作アーム（４３）の近くで係止アーム（４４）に配置されていることを特徴とする、請求項７および８記載の杖取っ手。
【請求項１０】
操作レバー（４１）が揺動軸（４２）と第２の連結要素（４６）の間でばね要素（５２）によって付勢されていることを特徴とする、請求項７〜９の少なくとも一つに記載の杖取っ手。
【請求項１１】
圧縮ばね（５２）または他の種類のばね要素が設けられ、この圧縮ばねまたはばね要素が杖取っ手（１０）の凹部（２６）の内壁範囲に支持され、杖取っ手凹部（２６）を画成する杖取っ手（１０）の壁範囲に対して操作アーム４３を押し付け、そして第２の連結要素（６４）を第１の連結要素（４６）の移動軌道内に押込むことを特徴とする、請求項１０記載の杖取っ手。
【請求項１２】
請求項１と場合によっては請求項２〜１１の少なくとも一つに記載の杖取っ手を備えた、クロスカントリ用ストック、アルペン用ストックまたはノルディックウォーキング用ストックを含むスキーストック。
【発明の詳細な説明】
【技術分野】
【０００１】
本発明は、請求項１の前提部分に記載の、手保持装置を備えた、特にクロスカントリストック、ノルディックウォーキングストックまたはアルペンストックのための杖取っ手と、このような杖取っ手を備えたスキー杖に関する。
【背景技術】
【０００２】
特許文献１によって知られているこのような杖取っ手の場合、杖取っ手凹部が杖取っ手またはスキー杖の縦軸線に対して鋭角をなして、手革の第１の連結要素のための入口と、操作部材のための反対側の出口との間に配置されている。これにより、手革に固定された連結要素が、杖取っ手上端の下方で斜め方向に係止され、この斜め方向とは反対の斜め方向に下側に向かって取り外される。操作部材と第２の連結部材が一体であり、そして揺動軸が第２の連結部材の端部に配置されているため片腕状レバーとして形成されているので、揺動軸が係止範囲の非常に近くに配置されていることに基づいて係止のための大きな力を必要とし、問題がある。更に、片腕状操作レバーの第２連結要素の背後への手革の第１連結要素の係止方向のため、人間工学的な運動がもたらされず、片手で実施するのが困難である。
【特許文献１】独国実用新案登録第２９９０４５９１号公報
【発明の開示】
【発明が解決しようとする課題】
【０００３】
本発明の課題は、手保持装置の取り外し可能な固定を簡単にかつ特に係止時に人間工学的に実施できる、冒頭に述べた種類の杖取っ手を提供することである。
【課題を解決するための手段】
【０００４】
この課題を解決するために、冒頭に述べた種類の杖取っ手において、請求項１記載の特徴が提案される。
【０００５】
本発明の手段により、手保持装置をその第１の連結要素を介して係止するためには、杖取っ手またはスキーストックの縦軸線方向のほぼ直線的な簡単な運動で充分である。この場合、係止過程のために同時に、床に立てたスキーストックに基づいて反力が存在する。これは少なくとも連結運動を簡単化および加速し、その都度他方の手で補助する必要がない。
【０００６】
手保持装置の第２の連結要素を杖取っ手の縦方向スロットに挿入するために、杖取っ手は上側範囲に、半径方向の挿入口を備えている。それによって、固定運動が先ず最初に半径方向に、そして軸方向に行われる。しかし、好ましい実施形では、請求項２記載の特徴が設けられる。これは、連結運動が専ら第１連結要素または手革のほぼ軸方向運動からなることを意味する。なぜなら、第１連結要素が取っ手頭端面から縦方向スロットに挿入可能であるからである。
【０００７】
手革の第１連結要素の好ましい形状または縦方向スロット内でのその案内は、請求項３〜５のいずれか一つまたは複数の特徴から生じる。
【０００８】
操作部材の有利な構造または係止を解除するための有利な取扱操作は、請求項６〜１１のいずれか一つまたは複数の特徴から生じる。その際、操作レバーは誤って操作されないように配置され、それにもかかわらず第１の連結要素を手保持装置に係止および取り外しする際に片手操作が可能である。
【０００９】
更に、本発明は請求項１と場合によっては請求項２〜１１の少なくとも一つに記載の杖取っ手を備えたスキー杖（ストック）に関する。
【発明を実施するための最良の形態】
【００１０】
本発明の他の詳細は次の記載から明らかである。次の記載において、図に示した実施の形態に基づいて本発明を詳しく説明する。
【００１１】
有利な実施の形態を図示した杖取っ手１０は、例えば合成樹脂製の射出成形品から作られた本体１２を備えている。この本体１２は図に示すように、本体１２の周溝１３内に挿入した掴み易い材料からなる被覆材１４を、手で掴む範囲に備えている。杖取っ手１０は、クロスカントリストック、アルペンストックまたはノルディックウォーキングストックの杖管１６に嵌合されて、この杖管に固定連結、好ましくは接着またはプレス嵌めされている。
【００１２】
杖取っ手１０の本体１２は下側範囲１８がほぼ長円形に形成され、そして図４から判るように、杖管１６の縦軸線１７に対して偏心的に配置されている。杖取っ手１０の本体１２の上端範囲２０は、図３に示すように、偏平な長円形の形をしている。上端範囲２０は図１に示すように、縦軸線１７に対して側方に傾斜している。この場合、長円形の上端範囲の狭い側面２１，２３がやや曲がっている。本体１２の上端範囲２０は頭端面２２を有する。この頭端面はその狭い寸法の方向が平らであり、その長い寸法の方向がやや凹形に湾曲し、縦軸線１７に対して鋭角に傾斜している。本体１２は、杖管１６の端部を収容するための、軸方向の円筒状の中空室２４を下端範囲１８に備えている。本体は更に、上端範囲２０に、円筒状中空室２４の上方にこの中空室から所定の間隔をおいて、凹部２６を備えている。この凹部はほぼ長方形のほぼ均一な横断面に形成されている。凹部２６は取っ手の頭端面２２の開口部２７からアクセス可能である。凹部２６の底２８は閉鎖されている。凹部２６の縦軸線２９は杖取っ手１０または杖管１６の縦軸線１７に対して鋭角に延び、取っ手の頭端面２２に対してほぼ垂直である。本体１２の前側の狭い側面２１には縦方向スロット３１が形成されている。この縦方向スロットは取っ手の頭端面２２からアクセス可能であり、そこに挿入案内傾斜面３２，３３を備えている。このスロットの底４３は凹部２６の底２８よりも幾分下方に位置し、被覆材１４の始端の手前に設けられている。凹部２６内には、凹形の底を有する溝３８，３９が縦方向スロット３１寄りに設けられている。この溝は互いに平行に延びかつ凹部２６を画成する両側面３６，３７に形成されている。溝は縦方向スロット３１の長さを越えて延びている。
【００１３】
凹部２６内には、双腕状のレバー４１が軸４２を介して、本体１２の側面３６，３７に対して平行に揺動可能に保持されている。揺動軸４２は上方後側範囲において凹部２６を横切り、両側面３６，３７の穴に支承または保持されている。双腕状レバーは取っ手頭端面２２の開口部２７を通って外側に突出した操作アーム４３を備えている。双腕状のレバー４１の係止アーム４４は操作アーム４３に一体的に接続されている。この場合、両アーム４３，４４は互いに鈍角をなしている。揺動軸４２は操作アーム４３近くの係止アーム４４の範囲において双腕状レバー４１を貫通している。係止アーム４４は突起の形をした連結要素４６を有する。この連結要素は縦方向スロット３１を有する、本体１２の前側の狭い側面２１の近くに達し、凹部２６の底２８とは反対の側に、案内斜面４７を備えている。
【００１４】
双腕状レバー４１は圧縮ばね５２によって付勢されている。この圧縮ばねはここではコイルばねとして形成されている。このばねの一端は凹部２６内のレバー４１の係止アーム４４に支持され、他端は後側の狭い側面２３から内側の凹部画成面２５の方に延びる穴５４内に挿入されて、ストッパーに支持されている。このストッパーは本実施の形態では、外側から本体１２の後側の狭い側面２３に挿入されたねじ５６によって形成されている。幾分湾曲し、係止アーム４４のめくら穴５８に挿入された圧縮ばね５２は、双腕状のレバー４１を静止位置に付勢している。この静止位置では、操作アーム４３が開口部２７のエッジ範囲４８に接触している。その際、係止アーム４４の連結要素４６は前側の狭い側面２１の縦方向スロット３１の近くに位置している。双腕状レバー４１は揺動軸４２を中心に両方向矢印Ａで示すように揺動可能である。この場合、揺動運動は一方では開口部２７のエッジ範囲４８によって、他方では圧縮ばね５２のばねの撓み量によって制限される。  図示していない実施の形態では、圧縮ばね５２がほぼＶ字状の板ばねとして形成されている。このばねの脚部は内側から係止アーム４４または反対側の凹部２６の側面２５に支持され、ばねの頂部が開口部２７のエッジ範囲４８の方に向いている。
【００１５】
手革１１または例えば手袋のような、スキーヤーの手のための他の保持装置が、杖取っ手１０に取り外し可能に係止可能である。図１には、手革のベルト６０の固定区間６２だけが示してある。ベルト６０には、ほぼきのこ状に形成され、適当な合成樹脂または金属で作られた連結要素６４が固定、例えばねじ止めされている。連結要素６３はベルト６０に連結された軸部６６を備えている。この軸部の幅または直径は本体１２の縦方向スロット２９よりも幾分小さい。円筒状の軸部６６の長さは縦方向スロット３１の深さまたは前側の狭い側面２１と内側の溝３８，３９との間隔にほぼ一致している。軸部６６は頭部６８と一体である。この頭部は軸部６６よりも大きな幅を有し、その外周エッジ形状は頭部６８を案内する両溝３８，３９の形状にほぼ一致している。連結要素６４の外側の横断面寸法は、図１において矢印Ｂと実線の位置または一点鎖線の位置によって示すように、手革１１のベルト６０を備えた連結要素が取っ手頭端面２２から縦方向スロット３１内に実質的に遊びなしに挿入され、そこで保持されるように定められている。
【００１６】
相手方係止要素として形成された、係止アーム４４の連結要素または突起４６は、連結要素６４を双腕状レバー４１の係止アーム４４に係止する働きをする。手革１１に保持された連結要素６４が図１の一点鎖線で示した位置から縦方向スロット３１に挿入されると、軸部６６が縦方向スロット３１内で滑動し、頭部６８が両溝３８，３９内で下方に滑動し、圧縮ばね５２の作用に抗してかつ案内斜面４７を介して係止アーム４４を内側に押す。連結要素６４の頭部６８が係止アーム４４の連結要素４６の傍らを通過すると、係止アーム４４は圧縮ばね５２の作用を受けて再びその出発位置に戻る。それによって、連結要素６４の頭部６８は係止アーム４４の突起４６の下面と縦方向スロット３１の底３４の間で保持される。杖取っ手１０の本体１２から連結要素６４または手革１１を引き抜いて、係止を解除することは、逆の方法で、操作アーム４３によって双腕状レバー４１を実線で示した静止位置から圧縮ばね５２に抗して作用する図示していない解除位置へ揺動させることによって行われる。この解除位置では、連結要素６４の頭部６８が係止アーム４４またはその連結要素４６の背後で解放され、縦方向スロット３１から引き出し可能である。レバー４１の係止解除運動は、杖取っ手１０を手で掴んだ状態で、例えば人指し指で容易に行える。
【図面の簡単な説明】
【００１７】
【図１】本発明の有利な実施の形態による解除できるように係止可能な手保持装置を備えた杖取っ手を、部分的に破断して示す縦断面図である。
【図２】部分的に破断して図１の矢印ＩＩ方向に見た図である。
【図３】図１の矢印ＩＩＩ方向に見た図である。
【図４】図１のＩＶ−ＩＶ線に沿った断面図である。
【図１】
2006508750.tif 000003
【図２】
2006508750.tif 000004
【図３】
2006508750.tif 000005
【図４】
2006508750.tif 000006
【国際調査報告】
2006508750.tif 000007
2006508750.tif 000008
2006508750.tif 000009
2006508750.tif 000010